(57)【要約】【課題】マストの伸縮機能を備え、アンテナを高い位置に設置でき且つ設置高さを調整できるアンテナ取付装置を提供する。【解決手段】マスト１１は固定マスト１２及び可動マスト１３からなり、可動マスト１３の高さ位置を調整可能に構成する。固定マスト１２には、下端部に取付金具１５を装着し、上端内部に可動マスト１３の位置を固定する第１固定部２１、第２固定部２２、第３固定部２３を設ける。第３固定部２３は、フランジ部３２を固定マスト１２内に挿入してボルト３４で固定し、ネジ部３３を固定マスト１２の上端より外側に突出させる。ネジ部３３にゴムリング３５を介在してグリップ３６を装着し、締め付けてゴムリング３５を変形させ、可動マスト１３を仮止めする。第１固定部２１は固定マスト１２の外側に突出させたマスト固定用ボルト２７をナット３１で締め付けることにより、可動マスト１３に圧着して固定する。【選択図】図２
2011250314.tif 000002
【特許請求の範囲】
【請求項１】
第１のマストと、前記第１のマストに対して高さ位置が調整可能に設けられるアンテナ取付用の第２のマストと、前記第１のマストに対して前記第２のマストを任意の高さ位置で固定する固定手段と、前記第１のマストを取付用部材に取付ける取付金具とを具備することを特徴とするアンテナ取付装置。
【発明の詳細な説明】
【技術分野】
【０００１】
本発明は、例えば地上デジタル放送や無線通信等に使用されるアンテナを家屋のベランダ等に取付けるアンテナ取付装置に関する。
【背景技術】
【０００２】
地上デジタル（テレビジョン）放送（ISTB-T：Terrestrial Integrated Services Digital Broadcasting）は、２００３年１２月から関東、近畿及び中京広域圏で放送が開始され、２０１０年には普及の過渡期を迎えている。上記地上デジタル放送は、ＵＨＦ帯の電波が使用され、その周波数帯域は４７０〜７７０ＭＨｚ（１３〜６２チャンネル）が使用され、主に水平偏波が用いられている。
【０００３】
従来、地上デジタル放送受信用アンテナは、家屋の屋根に設置するか、ベランダにアンテナ取付金具を用いて設置している。アンテナを屋根の上に設置する場合は工事費用が非常に高いので、一般家庭においては２階のベランダにアンテナ取付金具を取付け、この取付金具のマストにアンテナを取付けている（例えば、特許文献１参照。）。
【０００４】
しかし、従来のアンテナ取付金具は、マストの高さが一般に２５〜５０ｃｍ程度のものが使用されており、アンテナの設置高さを余り高くすることができない。
【０００５】
地上放送や通信など地上における電波伝搬では、受信アンテナの高さが低いとその分、電界強度が低くなる。また、２階のベランダは地上から４〜５ｍの位置にあるが、この位の高さ位置で地上放送波を受信すると、都市減衰の影響を受けて電界強度が低くなる。また、ベランダにアンテナを設置した場合、ハイトパターンによって受信レベルが低くなる場合があるが、従来のベランダ金具はマストの高さを調節する機能を備えていないので、アンテナの高さ位置を調整して最適位置に設定することができないという問題があった。
【先行技術文献】
【特許文献】
【０００６】
【特許文献１】意匠登録第１２６３９０８号公報
【発明の概要】
【発明が解決しようとする課題】
【０００７】
上記のように従来のアンテナ取付金具は、マストの高さが２５〜５０ｃｍ程度であり、アンテナの設置高さを余り高くすることができない。また、従来のアンテナ取付金具は、マストの高さを調節する機能を備えていないので、ハイトパターンによって受信レベルが低下している場合、アンテナの高さ位置を調整して最適位置に設定することができないという問題があった。
【０００８】
また、家屋の屋根上に設置するための長いマストを用いてアンテナをベランダに設置しようとした場合、アンテナをマストに取付けてから設置する必要があり、総重量が重くて取付け難いと共に、アンテナ及びマストを誤って下に落としてしまう危険性が非常に高かった。
【０００９】
本発明は上記の課題を解決するためになされたもので、アンテナをより高い位置に容易に設置できると共にマストの伸縮機能を備え、アンテナの設置高さを調整することができるアンテナ取付装置を提供することを目的とする。
【課題を解決するための手段】
【００１０】
本発明に係るアンテナ取付装置は、第１のマストと、前記第１のマストに対して高さ位置が調整可能に設けられるアンテナ取付用の第２のマストと、前記第１のマストに対して前記第２のマストを任意の高さ位置で固定する固定手段と、前記第１のマストを取付用部材に取付ける取付金具とを具備することを特徴とする。
【発明の効果】
【００１１】
本発明によれば、アンテナを高い位置に設置して都市減衰や電界強度を改善ができると共にアンテナの高さを調整して受信状態が最適となる位置に設定でき、且つアンテナの設置作業を容易に行うことができる。
【図面の簡単な説明】
【００１２】
【図１】本発明の実施例１に係るアンテナ取付装置を一部断面して示す斜視図である。
【図２】（ａ）は同実施例１に係るアンテナ取付装置を一部（固定マスト部分）断面して示す正面図、（ｂ）は同上面図である。
【図３】（ａ）は同実施例１に係るアンテナ取付装置の固定マストと可動マストの固定部を拡大して示す断面図、（ｂ）は固定マストの上端部を示す側面図である。
【図４】同実施例１に係るアンテナ取付装置の取付金具部分を示す分解斜視図である。
【図５】同実施例１に係るアンテナ取付装置の組立て順序を説明するための分解斜視図である。
【図６】（ａ）は同実施例１に係るアンテナ取付装置の組立て過程を示す斜視図、（ｂ）は同組立て完了後の状態を示す斜視図である。
【図７】同実施例１に係るアンテナ取付装置を用いてアンテナを家屋のベランダに設置する場合の例を示し、（ａ）はアンテナ取付装置をベランダのフェンスに装着した状態を示す斜視図、（ｂ）は同アンテナ取付装置に縦長形状のアンテナを取付けて可動マストを上方に伸長させた状態を示す斜視図である。
【図８】同実施例１に係るアンテナ取付装置に横長形状のアンテナを取付けた状態を示す斜視図である。
【図９】同実施例１に係るアンテナ取付装置の各種取付例を示す斜視図である。
【図１０】本発明の実施例２に係るアンテナ取付装置の取付金具の構成例を示す分解斜視図である。
【図１１】同実施例２における取付金具の組立て完了後の状態を示す斜視図である。
【図１２】本発明の実施例３に係るアンテナ取付装置の取付金具の構成例を示す斜視図である。
【発明を実施するための形態】
【００１３】
以下、本発明の実施の形態について図面を参照して詳細に説明する。
【実施例１】
【００１４】
図１は本発明の実施例１に係るアンテナ取付装置を一部断面して示す斜視図である。図２（ａ）は上記アンテナ取付装置を一部（固定マスト部分）断面して示す正面図、図２（ｂ）は同上面図である。図３（ａ）は上記アンテナ取付装置の固定マストと可動マストの固定部を拡大して示す断面図、図３（ｂ）は固定マストの上端部を示す側面図である。図４は上記アンテナ取付装置の取付金具部分を示す分解斜視図である。図５は上記アンテナ取付装置の組立て順序を説明するための分解斜視図である。図６（ａ）は上記アンテナ取付装置の組立て過程を示す斜視図、図６（ｂ）は組立て完了後の状態を示す斜視図である。
【００１５】
図１ないし図４において、１１は金属部材を用いて円筒状に形成したアンテナマストで、大径の固定マスト１２と、この固定マスト１２より小径の可動マスト１３からなり、固定マスト１２の内側に可動マスト１３を挿入して可動できるようになっている。可動マスト１３は、中空に形成されるが強度を保つために内部をハニカム構造１４等にすることも可能である。上記固定マスト１２は例えば直径φ１が約５０ｍｍ、長さＬ１が約０．８λａに設定され、可動マスト１３は直径φ２が約２６ｍｍ、長さＬ２が約１λａに設定される。上記λａは地上放デジタル放送波帯の下端周波数（４７０ＭＨｚ）における波長を示している。
【００１６】
上記固定マスト１２の下端部には、上記マスト１１を家屋のベランダ等に取付けるための取付金具１５が金具取付ボルト１６及びナット１７により装着される。固定マスト１２の下端部には、図４に示すように金具取付用のボルト穴１８が設けられており、このボルト穴１８を利用して詳細を後述する取付金具１５が取付けられる。上記ボルト穴１８に挿入される金具取付ボルト１６は、固定マスト１２内に挿入される可動マスト１３の下部ストッパの作用を兼ねている。
【００１７】
また、固定マスト１２の上端部内側には、図３（ａ）及び図５に詳細を示すように第１固定部２１が設けられると共に、その下側に第２固定部２２、上側に第３固定部２３が設けられる。固定マスト１２の上端部には、図３（ｂ）に示すように第１固定部２１を取付けるためのボルト穴２０１が設けられると共に、その下側に第２固定部２２を固定するためのボルト穴２０２、下側に第３固定部２３を固定するためのボルト穴２０３が設けられる。この場合、第１固定部２１を取付けるためのボルト穴２０１は１つ、第２固定部２２を固定するためのボルト穴２０２及び第３固定部２３を固定するための２０３は固定マスト１２の周縁に沿って所定の間隔で複数例えば４つ設けられる。
【００１８】
上記第２固定部２２は、合成樹脂を用いてリング状に形成され、外径は固定マスト１２の内径より少し小さく、内径は可動マスト１３の直径より大きく設定される。第２固定部２２は、固定マスト１２の上端部内側に挿入され、上記ボルト穴２０２に外部から挿入されるボルト２４により固定される。
【００１９】
上記第１固定部２１は、弾力性を有する部材、例えば合成樹脂により円筒状に形成され、外径は固定マスト１２の内径より小さく、内径は可動マスト１３の直径より少し大きく設定される。上記第１固定部２１は、外周に沿って補強用の突条２５が複数設けられている。また、第１固定部２１には、外側中央の一部に切込み２６が設けられると共に、この切込み２６の反対側にボルト穴が設けられる。上記第１固定部２１には、切込み２６側から上記ボルト穴にマスト固定用ボルト２７を挿入する。このときマスト固定用ボルト２７の頭部が上記ボルト穴に係止される。上記第１固定部２１のボルト穴に挿入したマスト固定用ボルト２７は、上記固定マスト１２に設けたボルト穴２０１から外部に突出させ、その突出先端にバネ座金２９、平座金３０を介在させてマスト固定用ナット３１を螺着する。第１固定部２１は、切込み２６と反対側の外周面と固定マスト１２の内周面との間に所定の間隔が生じるように形成され、マスト固定用ボルト２７に螺着したマスト固定用ナット３１を締め付けた際にマスト固定用ボルト２７を介してマスト固定用ナット３１方向への力が加わり、切込み２６の上下両端の内側面が可動マスト１３に圧着して該可動マスト１３の位置を固定できるようになっている。
【００２０】
第３固定部２３は、例えば合成樹脂を用いて円筒状に形成され、下側にフランジ部３２、上側にネジ部３３が設けられる。上記第３固定部２３の内径は、可動マスト１３の直径より少し大きく設定される。また、フランジ部３２は、外径が固定マスト１２の内径より僅かに小さく形成されて固定マスト１２の上端部内側に挿入され、上記ボルト穴２０３に外部から挿入されるボルト３４により固定される。この場合、第３固定部２３は、フランジ部３２のみが固定マスト１２内に挿入されて固定され、ネジ部３３は固定マスト１２の上端より外側に突出した状態に保持される。第３固定部２３の上側は、周縁部より少し低いリング状の凹部を設けており、この凹部にゴムリング（パッキン）３５が載置される。このゴムリング３５は、上記凹部と略同じ大きさで、その内径は可動マスト１３の直径と略同じ値に設定される。また、ゴムリング３５は、上記凹部の深さよりも厚く形成され、凹部に載置した際、該凹部より上側に突出するようになっている。
【００２１】
そして、上記第３固定部２３のネジ部３３には、例えば合成樹脂により形成したグリップ３６が螺着される。このグリップ３６には、図３（ａ）に示すように上部中央に可動マスト１３を挿通させる挿通孔３７が設けられる。また、グリップ３６には、内側周面に第３固定部２３のネジ部３３に螺合する雌ネジ部３８が設けられると共に、上部内側面すなわち上記挿通孔３７の外周に沿ってリング状の突部３９が設けられる。上記グリップ３６を第３固定部２３のネジ部３３に螺着して締め付けることにより、上部内側面に設けた突部３９がゴムリング３５に圧接し、該ゴムリング３５を変形させて可動マスト１３の外周面に圧着し、その位置を保持する。
【００２２】
一方、可動マスト１３の下部先端には、リング状の振れ止め４１が複数のネジ４２により固定される。このネジ４２としては例えばナベネジが使用され、振れ止め４１の外周面より突出しないように螺着される。上記振れ止め４１は、外径が固定マスト１２の内径より僅かに小さく形成され、可動マスト１３が固定マスト１２内で横振れするのを防止すると共に、可動マスト１３の可動範囲を規制する。すなわち、振れ止め４１は、可動マスト１３の伸縮に伴って固定マスト１２内を移動し、可動マスト１３を下方向に移動した際は取付金具１５の金具取付ボルト１６に当接し、可動マスト１３を上方向に移動した際は第２固定部２２に当接して可動マスト１３の可動範囲を規制する。上記可動マスト１３は、例えば約０．５λａの範囲で伸縮させることができる。
【００２３】
また、可動マスト１３の上部側には、２対のアンテナ取付穴４３ａ、４３ｂが所定の間隔で設けられる。
【００２４】
また、上記固定マスト１２の下端部に取付けられる取付金具１５は、図４に詳細を示すようにホルダ４５、ベース金具４６ａ、４６ｂ、バンド４７ａ、４７ｂにより構成される。
【００２５】
上記ホルダ４５は、円筒状ホルダ部５１と折返し部５２ａ、５２ｂを備えている。円筒状ホルダ部５１は、側部を所定の幅で開口し、この開口部の両側を側方に所定長さ折返して折返し部５２ａ、５２ｂとしている。円筒状ホルダ部５１は、内径が固定マスト１２の直径より僅かに大きく形成されると共に、側部中央の位置、すなわち、折返し部５２ａ、５２ｂから略９０°の位置に１対の固定マスト取付用のボルト穴５３が設けられている。このボルト穴５３は、固定マスト１２の下端部に設けられたボルト穴１８と対応している。
【００２６】
上記円筒状ホルダ部５１の折返し部５２ａ、５２ｂには、ベース金具４６ａ、４６ｂの一部を挿入できる程度の間隙が設けられ、且つ先端側が所定の角度で外方に折曲げられている。また、折返し部５２ａ、５２ｂには、上下両端部近傍及び中央部にベース金具４６ａ、４６ｂを固定するためのボルト穴５４が設けられる。
【００２７】
上記ベース金具４６ａ、４６ｂは、上下両端をホルダ４５側に折返した折返し部５５ａ、５５ｂが設けられる。この折返し部５５ａ、５５ｂは、内側の折返し幅が広く、外側の折返し幅が狭く形成される。折返し部５５ａ、５５ｂは、更に内側端を反対側に９０°折曲げ、すなわち、上部に位置する折返し部５５ａは内側端を下方に９０°折曲げ、下部に位置する折返し部５５ｂは内側端を上方に９０°折曲げて折曲げ部５６を形成する。上記各折曲げ部５６には、ボルト穴５７が設けられる。上記ベース金具４６ａ、４６ｂの高さ寸法は、ホルダ４５の折返し部５２ａ、５２ｂより少し大きい値に設定され、折返し部５５ａ、５５ｂがホルダ４５の折返し部５２ａ、５２ｂの上下外側に位置するように構成される。
【００２８】
また、ベース金具４６ａ、４６ｂには、それぞれ上下に２個ずつ所定の間隔で例えば長方形状の取付穴５８が設けられる。更に、ベース金具４６ａ、４６ｂには、相対向する内側片をホルダ４５側に所定の角度で折り曲げた折曲げ部５９が設けられる。この折曲げ部５９は、ホルダ４５の折返し部５２ａ、５２ｂの先端折曲げ部に対応する角度で折曲げられる。
【００２９】
上記ベース金具４６ａ、４６ｂは、内側上下に設けた折曲げ部５６を折返し部５２ａ、５２ｂの間に挿入し、折曲げ部５６のボルト穴５７をホルダ４５の折返し部５２ａ、５２ｂのボルト穴５４に一致させ、各ボルト穴５４にそれぞれボルト６１を挿入し、その先端にバネ座金及び平座金を介在してナット６２を軽く止める。
【００３０】
上記のように円筒状ホルダ部５１の折返し部５２ａ、５２ｂにベース金具４６ａ、４６ｂを取付けたホルダ４５は、上記円筒状ホルダ部５１を固定マスト１２の下部外周にボルト穴５３、１８の位置を合わせて取付け、該ボルト穴５３、１８に金具取付ボルト１６を挿入し、その先端部に座金を介してナット１７を螺着し、締め付けて固定する。また、このとき円筒状ホルダ部５１の折返し部５２ａ、５２ｂに装着したボルト６１とナット６２とを締付け、円筒状ホルダ部５１の径を縮めて固定マスト１２に固定する。
【００３１】
また、バンド４７ａ、４７ｂは、側面から見て略コの字状に折曲げて形成すると共に、各折曲げ先端部を所定幅折返して折返し部６４を形成する。この折返し部６４を設けることにより、バンド４７ａ、４７ｂの強度を向上している。また、バンド４７ａ、４７ｂには、上下折曲げ面及び折返し部６４の中央部に円弧状の切欠き６５が設けられる。この切欠き６５を設けた面には、小さい凹凸が連続して形成される。
【００３２】
取付金具１５は、ベース金具４６ａ、４６ｂの折曲げ部５９とバンド４７ａ、４７ｂの切欠き６５の間でアンテナ支柱やベランダの部材を挟んで取付けるが、切欠き６５に設けた凹凸によって保持力を強固にしている。
【００３３】
また、バンド４７ａ、４７ｂには、前面の左右に長方形状の取付穴６７が設けられる。この取付穴６７は、ベース金具４６ａ、４６ｂの取付穴５８に対応する位置に設けられる。
【００３４】
上記バンド４７ａ、４７ｂは、ベース金具４６ａ、４６ｂの前面に対向して位置させ、バンド４７ａ、４７ｂの取付穴６７及びベース金具４６ａ、４６ｂの取付穴５８に外側から角根ボルト６８を挿入し、その先端にナット６９を螺着する。
【００３５】
次に上記のように構成されたアンテナ取付装置の組立て工程について図５及び図６を参照して説明する。
【００３６】
先ず、固定マスト１２の上端開口部から第２固定部２２を挿入し、所定位置にネジ止めにより固定する。次に第１固定部２１に対して切込み２６からマスト固定用ボルト２７を挿入し、ボルト穴内に位置させる。上記第１固定部２１をマスト固定用ボルト２７と共に固定マスト１２の上端開口部から挿入し、第２固定部２２の上に載置すると共にボルト穴に挿入したマスト固定用ボルト２７の先端を固定マスト１２に設けたボルト穴２０１（図３（ｂ）参照）に対向するように位置調整した後、マスト固定用ボルト２７の頭部を例えば指あるいは棒状の工具等により押してマスト固定用ボルト２７の先端を上記ボルト穴２０１から固定マスト１２の外部に突出させる。上記固定マスト１２のボルト穴２０１から外部に突出させたマスト固定用ボルト２７にバネ座金２９及び平座金３０を介在してマスト固定用ナット３１を螺着する。このときマスト固定用ナット３１はマスト固定用ボルト２７に緩く装着し、締付けは行わない。
【００３７】
次いで固定マスト１２の上端開口部に第３固定部２３のフランジ部３２を挿入し、ボルト３４により固定マスト１２に固定する。このとき第３固定部２３のネジ部３３は、固定マスト１２の上端から外部に突出した状態に保持される。
【００３８】
一方、可動マスト１３は、下端部に振れ止め４１をネジ４２により固定する。上記振れ止め４１を取付けた可動マスト１３は、固定マスト１２の下端部側から内部に挿入し、その先端を第２固定部２２、第１固定部２１及び第３固定部２３内を挿通させて上端より外部に突出させる。
【００３９】
その後、固定マスト１２の下端部に取付金具１５を装着する。この場合、取付金具１５は、予め円筒状ホルダ部５１の折返し部５２ａ、５２ｂにベース金具４６ａ、４６ｂを取付けた状態とし、ベース金具４６ａ、４６ｂからバンド４７ａ、４７ｂを取外している。この場合、円筒状ホルダ部５１の折返し部５２ａ、５２ｂとベース金具４６ａ、４６ｂとを取付けるボルト６１及びナット６２は軽く止め、円筒状ホルダ部５１の径を大きい状態に保持して固定マスト１２の下部に容易に取付けられるようにしている。
【００４０】
そして、上記取付金具１５は、円筒状ホルダ部５１を固定マスト１２の下部外側に位置させ、円筒状ホルダ部５１のボルト穴５３を固定マスト１２のボルト穴１８に一致させて金具取付ボルト１６を挿入し、その先端にバネ座金及び平座金を介在してナット１７を螺着し、締め付けて固定する。また、このとき円筒状ホルダ部５１の折返し部５２ａ、５２ｂに装着したボルト６１とナット６２とを締付け、円筒状ホルダ部５１の径を縮めて固定マスト１２に強固に固定する。
【００４１】
その後、図６に示すように取付金具１５のベース金具４６ａ、４６ｂにバンド４７ａ、４７ｂを角根ボルト６８及びナット６９により装着する。
【００４２】
また、固定マスト１２から上方に突出している可動マスト１３には、ゴムリング３５及びグリップ３６を嵌め込み、ゴムリング３５を第３固定部２３の上側に載置した状態で、グリップ３６を第３固定部２３のネジ部３３に螺着する。
【００４３】
以上でアンテナ取付装置の組立てを終了する。
【００４４】
次に上記アンテナ取付装置を用いてアンテナを設置する場合の例を説明する。
【００４５】
図７は上記アンテナ取付装置を用いてアンテナを家屋のベランダに設置する場合の例を示したもので、（ａ）はアンテナ取付装置をベランダのフェンスに装着した状態を示す斜視図、（ｂ）は上記アンテナ取付装置にアンテナを取付けて可動マスト１３を上方に伸長させた状態を示す斜視図である。
【００４６】
先ず図７（ａ）に示すようにアンテナ取付装置の可動マスト１３を一番低い位置まで下げた状態で、アンテナを設置する場所、例えばベランダ７１のフェンス７２を構成している格子７３に取付金具１５を取付ける。すなわち、取付金具１５のベース金具４６ａ、４６ｂからバンド４７ａ、４７ｂを取外した状態で、例えばベース金具４６ａ、４６ｂ側を格子７３の上部内側に位置させると共に、バンド４７ａ、４７ｂを格子７３の外側に位置させ、角根ボルト６８及びナット６９によりバンド４７ａ、４７ｂをベース金具４６ａ、４６ｂに取付け、ベース金具４６ａ、４６ｂとバンド４７ａ、４７ｂとの間で格子７３を挟持する。
【００４７】
そして、可動マスト１３の上端にアンテナ８０をボルト８８ａ、８８ｂにより取付ける。
【００４８】
上記アンテナ８０は、例えば縦長形状に形成したＵＨＦ帯アンテナであり、樹脂ケース８１内にＵＨＦ帯の電波を受信する放射素子及び反射素子（図示せず）が設けられている。
【００４９】
樹脂ケース８１は、前面ケース８２及び背面ケース８３からなり、前面ケース８２及び背面ケース８３には、上方部位に例えば縦長の楕円形の窓８４が設けられる。また、背面ケース８３には、窓８４の下側に接栓挿通孔８５が設けられ、この接栓挿通孔８５内に接栓８６が配設される。
【００５０】
更に、背面ケース８３の下部には、半円形の溝状のマスト取付部８７が設けられる。このマスト取付部８７には、上下方向に所定の間隔を保ってボルト取付用基部８９ａ、８９ｂが設けられ、このボルト取付用基部８９ａ、８９ｂにボルト８８ａ、８８ｂを螺着できるようになっている。上記ボルト取付用基部８９ａ、８９ｂは、可動マスト１３の上部に設けられたアンテナ取付穴４３ａ、４３ｂに対応している。
【００５１】
可動マスト１３にアンテナ８０を取付ける場合、背面ケース８３のマスト取付部８７に可動マスト１３の上部を位置させ、アンテナ取付穴４３ａ、４３ｂにボルト８８ａ、８８ｂを挿入し、該ボルト８８ａ、８８ｂを締め付けてマスト取付部８７のボルト取付用基部８９ａ、８９ｂに固定する。
【００５２】
次に可動マスト１３をアンテナ８０と共に上方に伸長すると共に可動マスト１３を回転してアンテナ８０の正面を電波到来方向に合わせる。この状態で第３固定部２３のネジ部３３に螺着しているグリップ３６を手で締め付けて可動マスト１３の位置を仮止めする。グリップ３６を締め付けると、ゴムリング３５がグリップ３６の内側上面に設けられているリング状の突部３９により圧接されて変形し、可動マスト１３の外周面に圧着して可動マスト１３の位置を保持する。
【００５３】
この状態で、第１固定部２１のマスト固定用ボルト２７に螺着されているマスト固定用ナット３１をスパナ等の工具により締め付け、マスト固定用ボルト２７を外方に引き寄せる。このとき第１固定部２１は、マスト固定用ボルト２７に係合している部分がマスト固定用ボルト２７と共に外方に引っ張られて変形し、切込み２６の上下に位置する内周面が可動マスト１３の外周面に大きな力で圧接し、固定マスト１２に対する可動マスト１３の位置を強固に固定して本止めする。以上でアンテナの設置作業を終了する。
【００５４】
上記実施例１に示したように、マスト１１を固定マスト１２及び可動マスト１３により伸縮可能に構成することにより、アンテナ８０の位置を従来より１λａ以上高くすることが可能であり、都市減衰の改善分だけ見た場合でも、アンテナ利得に換算して約３ｄＢ向上することができる。また、アンテナ８０の設置位置を高くすることにより、都市減衰や電界強度の改善だけでなく、遮蔽物による影響を高い確率で回避することができる。
【００５５】
また、可動マスト１３は、約０．５λａの範囲で高さ調整ができるので、ハイトパターンによって受信レベルが低くなる場合、アンテナの高さを調整して受信状態が最適となる位置に設定することが可能である。
【００５６】
また、可動マスト１３を伸縮できるので、可動マスト１３を低くした状態でアンテナ８０を取付け、その後、可動マスト１３を伸長してアンテナ８０の位置を高くすることができるので、一般家庭において使用者が自分で２階のベランダ等にアンテナ８０を設置する場合であっても、踏み台や梯子等を使用することなく、安全且つ容易に作業を行うことができる。
【００５７】
また、上記アンテナ取付装置は、可動マスト１３の位置を固定する際、グリップ３６を手で締める仮止めだけでなく、第１固定部２１のマスト固定用ボルト２７に螺着されているマスト固定用ナット３１をスパナ等の工具を使用して締め付け、本止めする構造としているので、長期に亘って安定した設置状態を維持することができる。
【００５８】
また、上記実施例１に示した取付金具１５は、ベース金具４６ａ、４６ｂの上下に折返し部５２ａ、５２ｂを設けることにより、マスト１１が前後方向に倒れるのを確実に防止することができる。
【００５９】
なお、上記実施例１で示した各部の寸法は、設置する人の身長を考慮し、例えば身長が１６０ｃｍ程度の人を対象として設定した場合の一例を示したものであり、条件等に応じて任意の値に設定することが可能である。
【００６０】
また、上記実施例１では、縦長形状のアンテナ８０をアンテナ取付装置のマスト１１に取付けた場合について示したが、その他の形状のアンテナ、例えば図８に示すように横長形状のアンテナ８０Ａであっても、実施例１の場合と同様にアンテナ取付装置のマスト１１に取付けることができる。この場合の例では、アンテナ８０Ａの背面に設けた取付金具９０を利用してマスト１１に取付けている。
【００６１】
また、上記実施例１では、アンテナ取付装置の取付金具１５をベランダ７１の格子７３に装着した場合を例として示したが、その他、例えば図９に示すように格子７３以外のものに対しても装着することが可能である。
【００６２】
図９（ａ）はベランダ７１のコンクリート壁７４上に支持構体７５により手摺り７６が設けられている場合に、上記支持構体７５を利用してアンテナ取付装置の取付金具１５を取付けた場合の例を示している。
【００６３】
図９（ｂ）は角柱状の支柱７７にアンテナ取付装置の取付金具１５を取付けた場合の例を示している。
【００６４】
図９（ｃ）は円柱状の支柱７８にアンテナ取付装置の取付金具１５を取付けた場合の例を示している。
【００６５】
なお、上記実施例１では、第１固定部２１を合成樹脂により構成した場合について示したが、その他、例えばアルミニウム等、弾力性を有する金属部材を用いて構成してもよい。
【００６６】
また、上記第１固定部２１は、外周に沿って複数の突条２５を設けて補強するように構成したが、全体的に肉厚に形成して強度を増すようにしてもよい。
【００６７】
また、上記第１固定部２１には、側部中央に切込み２６を設けたが、切込み２６の代わりに単にマスト固定用ボルト２７を挿入できる大きさの孔を設けるだけでもよい。
【００６８】
また、アンテナ取付装置の取付金具１５は、上記実施例１に示したものに限定されるものではなく、任意の構成とすることが可能である。以下、取付金具１５の他の構成例について説明する。
【実施例２】
【００６９】
図１０は実施例２に係るアンテナ取付装置の取付金具１５Ａの構成例を示す分解斜視図、図１１は取付金具１５Ａを組立てた状態を示す斜視図である。この実施例２に係る取付金具１５Ａは、ベース金具４６ａ、４６ｂの形状が実施例１に係る取付金具１５と異なり、その他の構成は実施例１と同じであるので、同一部分には同一符号を付して詳細な説明は省略する。
【００７０】
ベース金具４６ａ、４６ｂは、長方形状の金属板を中央部近傍で９０°折曲げ、前面側をバンド取付面９１、折曲げた側方の面をホルダ取付面９２としている。上記バンド取付面９１には、ホルダ取付面９２との間に、１段低く形成した段差部９３及び所定角度傾斜して形成した部材保持部９４が設けられる。この部材保持部９４の傾斜角度は、ホルダ４５の折返し部５２ａ、５２ｂの前端に設けられた折曲げ部の角度に対応している。
【００７１】
上記ベース金具４６ａ、４６ｂのバンド取付面９１には、上下両側部に近接して長方形状の取付穴５８が水平方向に設けられる。
【００７２】
また、バンド４７ａ、４７ｂのホルダ取付面９２には、例えば３つのボルト穴５７が設けられる。このボルト穴５７は、ホルダ４５の折返し部５２ａ、５２ｂに設けられた３つのボルト穴５４に対応する位置に設けられる。
【００７３】
上記のように構成された取付金具１５Ａを組立てる場合は、図１０、図１１に示すようにベース金具４６ａ、４６ｂのホルダ取付面９２をホルダ４５の折返し部５２ａ、５２ｂの間に挿入し、折返し部５２ａ、５２ｂのボルト穴５４とホルダ取付面９２のボルト穴５７を一致させる。この一致させたボルト穴５４とボルト穴５７内にボルト６１を挿入し、その先端にバネ座金及び平座金を介在してナット６２を螺着し、締め付けて固定する。
【００７４】
また、ベース金具４６ａ、４６ｂの前面にバンド４７ａ、４７ｂを対向して位置させ、バンド４７ａ、４７ｂの取付穴６７及びベース金具４６ａ、４６ｂの取付穴５８に外側から角根ボルト６８を挿入し、その先端にナット６９を螺着する。
【００７５】
上記取付金具１５Ａは、例えばベランダに設けられたフェンスの格子等をベース金具４６ａ、４６ｂとバンド４７ａ、４７ｂにより挟んで取付ける。この場合、取付ける部材が円柱状の支柱であれば、ベース金具４６ａ、４６ｂの部材保持部９４とバンド４７ａ、４７ｂの切欠き６５との間で支柱を挟持する。
【００７６】
また、取付金具１５Ａを取付ける部材が角柱状の支柱であれば、ベース金具４６ａ、４６ｂの段差部９３と、バンド４７ａ、４７ｂの切欠き６５より外側位置との間で支柱を挟持する。
【００７７】
上記実施例２に係る取付金具１５Ａにおいても、ベランダのフェンス等に強固に取付けて、マスト１１をホルダ４５により確実に保持することができる。
【実施例３】
【００７８】
図１２は実施例３に係るアンテナ取付装置の取付金具１５Ｂの構成例を示す斜視図である。この実施例３に係る取付金具１５Ｂは、実施例１に係る取付金具１５のバンド４７ａ、４７ｂを一体化し、バンド４７として構成したもので、その他の構成は実施例１と同じであるので、同一部分には同一符号を付して詳細な説明は省略する。
【００７９】
上記バンド４７は、実施例１におけるバンド４７ａ、４７ｂと同様に側面から見て略コの字状に折曲げて形成すると共に、各折曲げ先端部を所定幅折返して折返し部６４を形成している。上記バンド４７は上下方向の長さを延長してベース金具４６ａ、４６ｂの高さ寸法より少し小さい値に設定しているが、横幅は上記バンド４７ａ、４７ｂと略同じ寸法となっている。
【００８０】
また、バンド４７の前面には、上辺に沿って左右に２つの長方形状の取付穴６７ａ、６７ｂが設けられると共に、下辺に沿って左右に２つの長方形状の取付穴６７ｃ、６７ｄが設けられる。上記取付穴６７ａ〜６７ｄは、ベース金具４６ａ、４６ｂに設けられている取付穴５８と対応する位置に設けられる。また、例えば図示右側の取付穴６７ｂ、６７ｄには、左端部にボルト挿通孔７０ａ、７０ｂが連通して設けられる。このボルト挿通孔７０ａ、７０ｂの直径は、取付穴６７ａ〜６７ｄに取付けられる角根ボルト６８の頭部の直径より大きい値に設定され、ボルト挿通孔７０ａ、７０ｂ内に角根ボルト６８の頭部を挿入できるようになっている。
【００８１】
上記のようにバンド４７の取付穴６７ｂ、６７ｄにボルト挿通孔７０ａ、７０ｂを設けることにより、ボルト挿通孔７０ａ、７０ｂを利用して角根ボルト６８の頭部側から取付穴６７ｂ、６７ｄに着脱することができる。従って、ベース金具４６ａ、４６ｂとバンド４７との間で支柱等を挟持する場合、取付穴６７ｂ、６７ｄに挿入されている角根ボルト６８の頭部をボルト挿通孔７０ａ、７０ｂを利用して取外し、その状態でベース金具４６ａ、４６ｂ及びバンド４７を支柱等の両側に位置させ、その後、角根ボルト６８をボルト挿通孔７０ａ、７０ｂから取付穴６７ｂ、６７ｄ内に戻し、ナット６９を締め付けて固定する。
【００８２】
上記のように取付穴６７ｂ、６７ｄに挿入されている角根ボルト６８は、ナット６９を取外すことなく取付穴６７ｂ、６７ｄに着脱でき、取付金具１５Ｂを支柱等に容易に取付けることが可能となる。
【００８３】
また、上記実施例３では、実施例１、２で使用した２つのバンド４７ａ、４７ｂを１つのバンド４７に一体化できるので、取付金具１５Ｂの構成を簡略化してコストの低下を図ることができる。
【００８４】
なお、本発明は、上記実施の形態そのままに限定されるものではなく、実施段階ではその要旨を逸脱しない範囲で構成要素を変形して具体化できるものである。
【符号の説明】
【００８５】
１１…マスト、１２…固定マスト、１３…可動マスト、１４…ハニカム構造、１５、１５Ａ、１５Ｂ…取付金具、１６…金具取付ボルト、１７…ナット、１８…ボルト穴、２１…第１固定部、２２…第２固定部、２３…第３固定部、２４…ボルト、２５…突条、２６…切込み、２７…マスト固定用ボルト、２９…バネ座金、３０…平座金、３１…マスト固定用ナット、３２…フランジ部、３３…ネジ部、３４…ボルト、３５…ゴムリング、３６…グリップ、３７…挿通孔、３８…雌ネジ部、３９…リング状の突部、４１…振れ止め、４２…ネジ、４３ａ、４３ｂ…アンテナ取付穴、４５…ホルダ、４６ａ、４６ｂ…ベース金具、４７、４７ａ、４７ｂ…バンド、５１…円筒状ホルダ部、５２ａ、５２ｂ…折返し部、５３、５４…ボルト穴、５５ａ、５５ｂ…折返し部、５６…折曲げ部、５７…ボルト穴、５８…取付穴、５９…折曲げ部、６１…ボルト、６２…ナット、６４…折返し部、６５…切欠き、６７、６７ａ〜６７ｄ…取付穴、６８…角根ボルト、６９…ナット、７０ａ、７０ｂ…ボルト挿通孔、７１…ベランダ、７２…フェンス、７３…格子、７４…コンクリート壁、７５…支持構体、７６…手摺り、７７…角柱状の支柱、７８…円柱状の支柱、８０、８０Ａ…アンテナ、８１…樹脂ケース、８２…前面ケース、８３…背面ケース、８４…窓、８５…接栓挿通孔、８６…接栓、８７…マスト取付部、８８ａ、８８ｂ…ボルト、８９ａ、８９ｂ…ボルト取付用基部、９０…取付金具、９１…バンド取付面、９２…ホルダ取付面、９３…段差部、９４…部材保持部、２０１、２０２、２０３…ボルト穴。
【図１】
2011250314.tif 000003
【図２】
2011250314.tif 000004
【図３】
2011250314.tif 000005
【図４】
2011250314.tif 000006
【図５】
2011250314.tif 000007
【図６】
2011250314.tif 000008
【図７】
2011250314.tif 000009
【図８】
2011250314.tif 000010
【図９】
2011250314.tif 000011
【図１０】
2011250314.tif 000012
【図１１】
2011250314.tif 000013
【図１２】
2011250314.tif 000014